【手続補正書】
【提出日】平成19年2月6日(2007.2.6)
【手続補正１】
【補正対象書類名】明細書
【補正対象項目名】発明の名称
【補正方法】変更
【補正の内容】
【発明の名称】パルス幅延長回路
【手続補正２】
【補正対象書類名】明細書
【補正対象項目名】特許請求の範囲
【補正方法】変更
【補正の内容】
【特許請求の範囲】
【請求項１】
信号の論理状態の変化が生じたときに、該変化を検知して信号遷移有りの信号を出力する信号遷移検知回路の次段に用いて、個々の入力及び出力について直列に接続した複数のバッファの全体における最入力端に前記信号遷移有り信号を入力し、該複数バッファの途中の複数箇所から引き出された信号及び該複数バッファの最出力端の信号同士の論理和演算により、前記信号遷移有り信号のパルス幅が延長された信号を生成し外部に出力すると共に、外部から入力するパルス幅調整入力信号の論理状態に応じて制御される論理ゲートを前記複数バッファの途中に用いることで、該パルス幅調整入力信号の論理状態に応じて前記延長の度合いを調整するパルス幅延長回路において、
前記論理ゲートの挿入をも含めて、前記複数バッファを構成する個々のバッファにおける出力負荷が相互に均一になるようにしたことを特徴とするパルス幅延長回路。
【手続補正３】
【補正対象書類名】明細書
【補正対象項目名】０００１
【補正方法】変更
【補正の内容】
【０００１】
【発明の属する技術分野】
本発明は、信号の論理状態の変化が生じたときに、該変化を検知して信号遷移有りの信号を出力する信号遷移検知回路の次段に用いて、個々の入力及び出力について直列に接続した複数のバッファの全体における最入力端に前記信号遷移有り信号を入力し、該複数バッファの途中の複数箇所から引き出された信号及び該複数バッファの最出力端の信号同士の論理和演算により、前記信号遷移有り信号のパルス幅が延長された信号を生成し外部に出力すると共に、外部から入力するパルス幅調整入力信号の論理状態に応じて制御される論理ゲートを前記複数バッファの途中に用いることで、該パルス幅調整入力信号の論理状態に応じて前記延長の度合いを調整するパルス幅延長回路に係り、特に、信号遷移検知回路において論理状態変化検知対象の信号の論理状態が変化してから短時間で再び変化するような場合にも、回路面積の増大を抑えながら、後段の回路を含め要求される機能の安定動作を確保することができるパルス幅延長回路に関する。
【手続補正４】
【補正対象書類名】明細書
【補正対象項目名】００２８
【補正方法】変更
【補正の内容】
【００２８】
本発明は、前記従来の問題点を解決するべくなされたもので、信号遷移検知回路において論理状態変化検知対象の信号の論理状態が変化してから短時間で再び変化するような場合にも、回路面積の増大を抑えながら、後段の回路を含め要求される機能の安定動作を確保することができるパルス幅延長回路を提供することを目的とする。
【手続補正５】
【補正対象書類名】明細書
【補正対象項目名】００２９
【補正方法】削除
【補正の内容】
【手続補正６】
【補正対象書類名】明細書
【補正対象項目名】００３０
【補正方法】変更
【補正の内容】
【００３０】
【課題を解決するための手段】
本発明は、信号の論理状態の変化が生じたときに、該変化を検知して信号遷移有りの信号を出力する信号遷移検知回路の次段に用いて、個々の入力及び出力について直列に接続した複数のバッファの全体における最入力端に前記信号遷移有り信号を入力し、該複数バッファの途中の複数箇所から引き出された信号及び該複数バッファの最出力端の信号同士の論理和演算により、前記信号遷移有り信号のパルス幅が延長された信号を生成し外部に出力すると共に、外部から入力するパルス幅調整入力信号の論理状態に応じて制御される論理ゲートを前記複数バッファの途中に用いることで、該パルス幅調整入力信号の論理状態に応じて前記延長の度合いを調整するパルス幅延長回路において、前記論理ゲートの挿入をも含めて、前記複数バッファを構成する個々のバッファにおける出力負荷が相互に均一になるようにしたことにより、前記課題を解決したものである。
【手続補正７】
【補正対象書類名】明細書
【補正対象項目名】００３２
【補正方法】変更
【補正の内容】
【００３２】
まず、図５は、本発明の変形例である。
この図５では、信号の論理状態の変化が生じたときに、該変化を検知して信号遷移有りの信号を出力する信号遷移検知回路において、従来からの信号遷移検知回路１、例えば図１に示した信号遷移検知回路の次段に、パルス増強回路５を備えるようにしている。該パルス増強回路５は、前記信号遷移有り信号が出力されている時間に相当する、該信号のパルス幅を拡張する。
【手続補正８】
【補正対象書類名】明細書
【補正対象項目名】００３３
【補正方法】変更
【補正の内容】
【００３３】
従って、該変形例によれば、信号遷移検知回路において論理状態変化検知対象の信号の論理状態が変化してから短時間で再び変化するような場合にも、回路面積の増大を抑えながら、後段の回路を含め要求される機能の安定動作を確保することができる。
【手続補正９】
【補正対象書類名】明細書
【補正対象項目名】００３４
【補正方法】変更
【補正の内容】
【００３４】
次に、本発明は、図６に示すように、信号の論理状態の変化が生じたときに、該変化を検知して信号遷移有りの信号を出力する信号遷移検知回路１、例えば図１に示した信号遷移検知回路１の次段に用いるパルス幅延長回路３Ａである。該パルス幅延長回路３Ａは、従来のパルス幅延長回路、例えば前述の図３のパルス幅延長回路３を改良したものといえる。
【手続補正１０】
【補正対象書類名】明細書
【補正対象項目名】００３８
【補正方法】変更
【補正の内容】
【００３８】
図８は、前述の図５の変形例が適用された第１実施形態の信号遷移検知回路の回路図である。
【手続補正１１】
【補正対象書類名】明細書
【補正対象項目名】００５１
【補正方法】変更
【補正の内容】
【００５１】
図１１は、本発明が適用された第２実施形態のパルス幅延長回路の回路図である。
【手続補正１２】
【補正対象書類名】明細書
【補正対象項目名】００６３
【補正方法】変更
【補正の内容】
【００６３】
図１３は、本発明が適用された第３実施形態のパルス幅延長回路の回路図である。
【手続補正１３】
【補正対象書類名】明細書
【補正対象項目名】図面の簡単な説明
【補正方法】変更
【補正の内容】
【図面の簡単な説明】
【図１】従来の信号遷移検知回路の回路図
【図２】上記信号遷移検知回路の動作を示すタイムチャート
【図３】従来の信号遷移検知回路及び該信号遷移検知回路の次段に用いるパルス幅延長回路の回路図
【図４】上記パルス幅延長回路の動作を示すタイムチャート
【図５】本発明の変形例の信号遷移検知回路の構成を示すブロック図
【図６】本発明のパルス幅延長回路の配置形態の第１例を示すブロック図
【図７】本発明のパルス幅延長回路の配置形態の第２例を示すブロック図
【図８】前記図５の変形例が適用された第１実施形態の信号遷移検知回路の回路図
【図９】上記第１実施形態のパルス増強回路の動作を示すタイムチャート
【図１０】前記第１実施形態の変形例の回路図
【図１１】本発明が適用された第２実施形態のパルス幅延長回路の回路図
【図１２】本実施形態におけるパルス幅延長回路の動作を示すタイムチャート
【図１３】本発明が適用された第３実施形態のパルス幅延長回路の回路図
【符号の説明】
１…信号遷移検知回路
３、３Ａ、３Ｂ…パルス幅延長回路
５…パルス増強回路
ＴＰ…ＰチャネルＭＯＳトランジスタ
ＴＮ…ＮチャネルＭＯＳトランジスタ
Ｉ…インバータ